(57)【特許請求の範囲】
【請求項１】
吸引圧力を付与する吸引管路と、
前記吸引管路からの吸引圧力によって、搬送対象物を吸着する吸着具と、
前記吸着具の一方の側面に設けられる第１支持部材および他方の側面に設けられる第２支持部材を備え、
前記第１支持部材および前記第２支持部材のそれぞれは、相互に対向すると共に、前記搬送対象物に接触可能な接触面を有し、前記接触面は、前記搬送物の搬送方向に交差し、
前記吸着具は、前記吸引管路からの吸引圧力によって、前記搬送対象物と対向して、前記搬送対象物を吸着する吸着面と、
前記吸着面の前記搬送対象物側に突出して設けられる接触部と、を備え、
前記接触部は、前記吸引管路からの吸引圧力の付与方向において、前記吸着面の一部の領域である重複領域において重なり、
前記重複領域の少なくとも一部は、前記吸引圧力の付与方向と略垂直方向に凹状である空隙を有し、
前記空隙は、その体積を可変である、ピッキング装置。
【請求項２】
前記第１支持部材および前記第２支持部材のそれぞれは、前記接触面同士の対向距離を変更可能に可動する、請求項１記載のピッキング装置。
【請求項３】
前記第１支持部材および前記第２支持部材のそれぞれは、前記搬送対象物の搬送方向の幅に対応して可動する、請求項２記載のピッキング装置。
【請求項４】
前記接触面は、平坦な表面を有する、請求項１から３のいずれか記載のピッキング装置。
【請求項５】
前記接触面は、前記搬送方向の変化に合わせて、対向方向を変化させる、請求項１から４のいずれか記載のピッキング装置。
【請求項６】
前記接触面は、前記搬送方向に略垂直である、請求項１から５のいずれか記載のピッキング装置。
【請求項７】
前記第１支持部材および前記第２支持部材のそれぞれは、前記吸着具が吸着した搬送対象物の搬送方向に沿う可動域を低減もしくは消失させる、請求項１から６のいずれか記載のピッキング装置。
【請求項８】
前記吸着面は、略円形もしくは略楕円形であり、
前記接触部は、前記吸着面に設けられるリング状を有し、
前記吸着面は、格子状の開口部を有し、
前記接触部は、前記搬送対象物に対して、前記吸着面より突出し、
前記接触部は、リング状に沿った凹部を、前記吸着面と前記接触部との間に形成する、請求項１記載のピッキング装置。
【請求項９】
前記空隙は、前記吸着面および前記接触部で吸着している前記搬送対象物の変形部分を収容する、請求項８記載のピッキング装置。
【請求項１０】
前記吸着具、前記第１支持部材および前記第２支持部材のそれぞれを上下させると共に、前記接触面同士の対向距離を変化させる駆動部と、
前記吸引管路に吸引圧力を付与する吸引装置と、を更に備え、
前記駆動部および前記吸引装置は、
（１）前記吸着具を設置されている前記搬送対象物に下降させるステップ１、
（２）前記吸着具が前記搬送対象物を吸着するステップ２、
（３）前記吸着具が上昇するステップ３、
（４）前記第１支持部材および前記第２支持部材が前記搬送対象物に、前記接触面を接触させるステップ４、
（５）前記搬送対象物を、所定の搬送位置に搬送するステップ５、
の少なくとも一つを、実行する、請求項１から９のいずれか記載のピッキング装置。
【請求項１１】
前記駆動部および前記吸引装置は、
（６）前記第１支持部材および前記第２支持部材の、前記搬送対象物への接触を開放するステップ６、
（７）前記搬送位置に到達した後で、前記吸着具を下降させるステップ７、
（８）前記吸引管路への吸引圧力を開放するステップ８、
の少なくとも一つを実行する、請求項１０記載のピッキング装置。
【請求項１２】
前記ステップ１の場合には、前記吸着具の前記接触部は、前記第１支持部材および前記第２支持部材の先端よりも、前記搬送対象物に近く、
前記ステップ４の場合には、前記第１支持部材および前記第２支持部材の先端は、前記吸着具の前記接触部よりも、所定距離以上において前記搬送対象物に近い、請求項１０又は１１記載のピッキング装置。
【請求項１３】
前記所定距離は、前記搬送対象物の厚みの半分以上である、請求項１２記載のピッキング装置。
【請求項１４】
前記搬送対象物は、内容物を袋に収容する袋物である、請求項１から１３のいずれか記載のピッキング装置。
【請求項１５】
吸引圧力を付与する吸引管路と、
前記吸引管路からの吸引圧力によって、搬送対象物を吸着する吸着具と、
前記吸着具の一方の側面に設けられる第１支持部材および他方の側面に設けられる第２支持部材を備え、
前記吸着具を設置されている前記搬送対象物に下降させる第１下降ステップ、
前記吸着具が前記搬送対象物を吸着する吸着ステップ、
前記吸着具が上昇する上昇ステップ、
前記第１支持部材および前記第２支持部材を、前記搬送対象物に接触させる接触ステップ、
前記搬送対象物を、所定の搬送位置に搬送する搬送ステップ、
前記搬送位置に到達した後で、前記吸着具を下降させる第２下降ステップ、
前記第１支持部材および前記第２支持部材の、前記搬送対象物への接触を開放する開放ステップと、
前記吸引管路への吸引圧力を開放する圧力開放ステップ、とを備え、
前記吸着具は、前記吸引管路からの吸引圧力によって、前記搬送対象物と対向して、前記搬送対象物を吸着する吸着面と、
前記吸着面の前記搬送対象物側に突出して設けられる接触部と、を備え、
前記接触部は、前記吸引管路からの吸引圧力の付与方向において、前記吸着面の一部の領域である重複領域において重なり、
前記重複領域の少なくとも一部は、前記吸引圧力の付与方向と略垂直方向に凹状である空隙を有し、
前記空隙は、その体積を可変である、袋物を搬送するピッキング方法。
【発明の詳細な説明】
【技術分野】
【０００１】
本発明は、工場や配送センターなどにおける製品や商品の箱詰めや分類において、製品や商品をピッキングする際に、搬送対象となる製品や商品を吸着して搬送するピッキング装置に関する。
【背景技術】
【０００２】
様々な事業分野、商品分野においては、それぞれに対応した工場において、種々の製品や商品が製造される。半完成状態の製品や商品は、製造工程における次の工程に搬送される必要がある。完成状態の製品や商品は、最終的にダンボールや専用のケースに詰められて出荷される。このため、工場や配送センターは、製造ライン以外に、製品や商品の分類や詰め込みを行って製品や商品を移動させる搬送ラインを必要とする。搬送ラインは、半完成の製品や商品を次の工程に移動させたり、完成した製品や商品を出荷状態に移動させたりする。
【０００３】
搬送ラインが、製品や商品を次の工程や出荷状態に移動させる際には、製品や商品の分類を行ったり、所定数の製品や商品を段ボール箱やケースに詰め込んだりする必要がある。このため、搬送ラインは、複数の製品や商品から、一つ一つの製品や商品をピッキングする必要を有している。
【０００４】
ここで、製品や商品は、様々である。搬送ラインは、製品や商品の配送先、箱詰め個数、品種などのパラメータに基づいて、様々な製品や商品を効率的に分類する必要がある。一つのダンボール箱やケースには、異なる品種の製品や商品が詰め込まれる必要があることもあるからである。このような様々なパラメータに対応して、複数の製品や商品を正確に分類しつつ搬送するには、人的作業が適しているが、人件費や効率の問題がある。
【０００５】
特に、人的作業で複数の製品や商品を正確に分類しつつ搬送する場合には、人的能力の限界から、単位時間当たりの搬送可能な商品数には限界がある。商品によっては、１名の人員で、１時間に１０００個〜２０００個程度の分類と搬送が限界といわれている。製造等でのコスト削減要求が厳しい業界においては、この搬送速度は不十分である。もちろん、人的作業によって分類や搬送を行うことでミスも生じうるし、作業疲労によって、搬送速度が低下する問題も考えられる。
【０００６】
ここで、製品や商品の出荷のための搬送ラインの場合は、個々の製品や商品の分類、分類後の製品や商品の搬送、分類された製品や商品の箱詰め、箱の集積、パレットへの積載などの工程を含む。これらそれぞれの工程は、他の工程と独立しているが、搬送ラインの前半工程である製品や商品の分類においては、取り扱うべき製品や商品の個数が多い。これに対して、搬送ラインの後半工程である、製品や商品の箱詰めやパレットへの積載においては、取り扱うダンボール箱の個数は、前半工程で取り扱う製品や商品の個数より相対的に少なくなる。
【０００７】
搬送ラインでの全ての工程を含む流れ作業を、自動化して効率よく進めるためには、前半工程で取り扱う製品や商品の個数に対応した、分類や搬送作業が必要となる。すなわち、個々の製品や商品を、高速かつ高精度にピッキングする必要がある。前半工程でのピッキング作業が遅かったり、作業エラーが生じたりすると、搬送ラインの後半工程での作業速度を遅くしたり作業を止めたりする必要が生じるからである。
【０００８】
このように、製造工程の途中や、製造工程後の出荷前作業において必要となる搬送ラインでは、個々の製品や商品を、正確かつ高速にピッキングすることが求められる。個々の製品や商品が正確かつ高速にピッキングされることで、製造および出荷作業が高速化され、様々な製造現場や流通現場での生産性が向上する。
【０００９】
ここで、搬送ラインにおいては、ピッキング装置が、ケースに入った製品や商品、コンベアを流れる製品や商品のそれぞれを、ピッキングする。例えば、ピッキング装置は、あるケースに入った複数の製品や商品の中から一つをピッキングして、次の工程に移動させる。あるいは、ピッキング装置は、コンベアを流れる複数の製品や商品の中から一つをピッキングして、ケースや箱に詰め込む。
【００１０】
このように、ピッキング装置は、複数の製品や商品の中から、対象となる一つを選択して、確実かつ高速にピッキングする必要を有している。特に、ピッキング装置が掴む商品や製品は、形状、内容、外装物が様々であるので、掴みにくいことも多い。このため、ピッキング装置は、吸引圧力を用いる吸着具を用いて、製品や商品を吸着してピッキングすることが多い。製品や商品の外周に吸着具を押し当てて、吸着具に付与される吸引圧力によって、ピッキング装置は、製品や商品を取り出し可能とする。吸着具には、製品や商品を確実に吸着する能力が求められている。
【００１１】
このようなピッキング装置やピッキング装置に用いられる吸着具の技術が提案されている（例えば、特許文献１、特許文献２参照）。
【先行技術文献】
【特許文献】
【００１２】
【特許文献１】特開平６−１６３７８号公報
【特許文献２】特開２０００−２９６４８９号公報
【発明の概要】
【発明が解決しようとする課題】
【００１３】
特許文献１は、空気吸引孔１を有する吸着具本体２の下部に、硬質弾性材料製環状体３を固定し、その硬質弾性材料製環状体３よりも下方に突出する軟質弾性材料製環状体４を、硬質弾性材料製環状体３の外側において吸着具本体２に直接または間接的に固定する吊上搬送用真空吸着具を開示する。
【００１４】
特許文献１は、硬質部材と軟質部材とをあわせた吸着部分によって、対象物を吸着する吸着具を開示する。このような吸着具によって、表面に凸凹がある対象物であっても、確実に吸着できることを目的としている。
【００１５】
しかしながら、硬質部材と軟質部材とをあわせた吸着部分を有しているとしても、対象物が袋物である場合には、特許文献１に開示される吸着具は、袋物の対象物を確実に吸着できない問題を有している。菓子、パン、食品、袋入り部品などは、その外形は袋である。袋は、内部に空気や不活性ガスを収容しているので、外圧によって容易に変形する。
【００１６】
このため、吸着具によって袋の表面が吸着される場合でも、袋表面にしわや折れ曲がりが生じてしまう。しわや折れ曲がりが、吸着具の吸着面から吸着具の外側にまで連通していると、吸着面の一部が、外気と連通してしまうことになる。吸着面の一部が、吸着対象物である袋物で覆われていない状態であると、吸引面積が減少したり、吸引方向に外気が入ったりして、吸着力が弱まる。吸着力が弱まった状態であると、何らかの要因で、吸着具は、吸着対象物を落下させてしまうこともある。吸着具が、吸着対象物を吸着した後で吸着対象物を装置の一部に衝突させたり、吸着対象物を移動させる勢いを与えたりすることで、吸着具は、吸着対象物を落下させてしまう。
【００１７】
特許文献１に開示される吊上搬送用真空吸着具は、硬質部材と軟質部材との組み合わせによる吸着具に過ぎないので、吸着対象物が袋物である場合には、吸着面と外気を連通させるしわや折れ曲がりを生じさせることを防止できない。このため、特許文献１に開示される吊上搬送用真空吸着具は、一定形状を維持できる吸着対象物以外を、確実に吸着して吊上げることは困難である。
【００１８】
特許文献２は、工作物を吸着するための真空グリッパー１０は、負圧ポート１４と弾性的な吸盤２０と吸盤ホルダー１２とを備え、吸盤２０は工作物寄りの側に、吸引室２６を画成するリップシール２２を備え、吸引室２６は負圧ポート１４に流体接続されている。吸引室２６はその中に突出するリブ３６，３８を備え、リブおよびまたはリップシール２２は吸引室２６寄りのその面３０に、少なくとも１つの溝２８を有する真空グリッパーを開示する。
【００１９】
特許文献２に開示される真空グリッパーは、リブや溝によって、滑り止め機能を発揮し、対象物を吸着する際のすべりを防止する。
【００２０】
しかしながら、一定形状を維持できる吸着対象物ではなく、袋物である場合には、リブや溝による滑り止めがあったとしても、特許文献１の場合と同様の問題を有する。すなわち、特許文献２に開示される真空グリッパーは、袋物を吸着する際に、表面にしわや折れ曲がりを生じさせて、吸着対象物を落下させてしまう可能性を有する。
【００２１】
特許文献１、特許文献２のような従来技術は、袋物のように吸着時に容易に変形する吸着対象物を確実に吸着することが難しい問題を有していた。もし、吸着具が、吸着対象物を落下させてしまうと、搬送ラインを停止させる必要が生じ、製造工程や出荷工程での生産性を低下させる問題も生じてしまう。
【００２２】
特許文献１、特許文献２に代表される従来技術は、内容物を収容した袋物の吸着が難しかった。このような袋物は、内容物によって全体の厚みが異なることがある。このため、吸着具の高さ（製品や商品が流れるラインからの高さ）が固定されると、袋物の内容物が割れたり袋そのものが破れたりする問題が生じる。特に内容物を外気から遮断された状態に保つために気密性を高めた袋物は、内容物が柔らかくても硬くても上述のように内容物が割れたり袋そのものが破れたりしやすい。
【００２３】
加えて、特許文献１、特許文献２に代表される従来技術は、内容物を収容した袋物の吸着が難しいだけでなく、吸着した後で吸着対象物を搬送する際に、搬送方向に沿って加わる慣性力に基づいて吸着対象物を落下させてしまう問題もあった。
【００２４】
吸着具は、空気吸引や真空吸引を用いて、吸着対象物を垂直方向に吸い上げて吸着する。このため、吸着具は、吸着対象物を垂直方向に吸着して固定することには能力を発揮しやすいが、平面方向での固定には能力を発揮しにくい。ピッキング装置は、ある場所に設置されている商品を吸着して別の場所に搬送させる。このため、ピッキング装置は、平面方向の移動ベクトルを必ず有するようになる。
【００２５】
このような平面方向の移動において、吸着具は吸着対象物を落下させる問題を生じさせる点でも、従来技術の吸着具やこれを用いるピッキング装置は、次の点で不十分であった。
【００２６】
なお、ここで用いる「ピッキング」とは、搬送対象物を拾い上げて、ある場所から他の場所へ搬送する動作を言う。
【００２７】
（問題１）内容物を収容する袋物が搬送対象物である場合に、搬送対象物の高さ・厚みが統一されていない場合には、柔軟に対応して拾い上げることができない。
（問題２）搬送対象物を拾い上げる際に、搬送対象物に変形や破損を生じさせてしまう。
（問題３）拾い上げた搬送対象物を、平面方向などに搬送する場合に、搬送対象物を落下させてしまう。
【００２８】
このような問題に鑑み、袋物のように外圧で容易に変形してしまう吸着対象物であっても、落としたり破損したりすること無く、確実に拾い上げて搬送できるピッキング装置を提供することを目的とする。特に、上記の問題３にある「拾い上げた後で搬送する際に、搬送対象物を落下させることの無い」ピッキング装置を提供することを目的とする。
【課題を解決するための手段】
【００２９】
上記課題に鑑み、本発明のピッキング装置は、吸引圧力を付与する吸引管路と、吸引管路からの吸引圧力によって、搬送対象物を吸着する吸着具と、吸着具の一方の側面に設けられる第１支持部材および他方の側面に設けられる第２支持部材を備え、第１支持部材および第２支持部材のそれぞれは、相互に対向すると共に、搬送対象物に接触可能な接触面を有し、接触面は、搬送物の搬送方向に交差し、吸着具は、吸引管路からの吸引圧力によって、搬送対象物と対向して、搬送対象物を吸着する吸着面と、吸着面の搬送対象物側に突出して設けられる接触部と、を備え、接触部は、吸引管路からの吸引圧力の付与方向において、吸着面の一部の領域である重複領域において重なり、重複領域の少なくとも一部は、吸引圧力の付与方向と略垂直方向に凹状である空隙を有し、空隙は、その体積を可変である。
【発明の効果】
【００３０】
本発明のピッキング装置は、搬送対象物を十分に吸着して拾い上げると共に、搬送方向においては支持部材によって搬送対象物の振動を低減して搬送中の落下を防止できる。
特に、搬送対象物を拾い上げる際に用いる吸着具やその他の部材の性能や機能への依存度を低くしつつ、本発明のピッキング装置は、搬送中の落下を防止できる。この結果、本発明のピッキング装置は、吸着やピッキングの困難な袋物であっても、確実に搬送できる。特に、高速に搬送できるようになるので、工場での製造コストを低減することにも繋がる。
【００３１】
この確実な吸着の結果、吸着具がピッキング装置に用いられる際に、落下やピッキングミスが生じなくなり、製造工程や出荷工程での生産性を向上させることができる。
【図面の簡単な説明】
【００３２】
【図１】本発明の搬送装置の全体斜視図である。
【図２】本発明の実施の形態１におけるピッキング装置の斜視図である。
【図３】本発明の実施の形態１におけるピッキング装置の動作手順の説明図である。
【図４】本発明の実施の形態１におけるピッキング装置の動作手順の説明図である。
【図５】本発明の実施の形態１におけるピッキング装置の動作手順の説明図である。
【図６】本発明の実施の形態１におけるピッキング装置の動作手順の説明図である。
【図７】本発明の実施の形態１におけるピッキング装置の動作手順の説明図である。
【図８】本発明の実施の形態１におけるピッキング装置の動作手順の説明図である。
【図９】本発明の実施の形態１におけるピッキング装置の動作手順の説明図である。
【図１０】本発明の実施の形態１におけるピッキング装置の動作手順の説明図である。
【図１１】本発明の実施の形態３における吸着具の斜視図である。
【図１２】本発明の実施の形態３における吸着具の正面図である。
【図１３】本発明の実施の形態３における吸着具の側面図である。
【図１４】本発明の実施の形態３における搬送対象物を吸着した吸着具の側面図である。
【図１５】本発明の実施の形態３における搬送対象物が吸着された吸着具の側面図である。
【発明を実施するための形態】
【００３３】
本発明の第１の発明に係るピッキング装置は、吸引圧力を付与する吸引管路と、吸引管路からの吸引圧力によって、搬送対象物を吸着する吸着具と、吸着具の一方の側面に設けられる第１支持部材および他方の側面に設けられる第２支持部材を備え、第１支持部材および第２支持部材のそれぞれは、相互に対向すると共に、搬送対象物に接触可能な接触面を有し、接触面は、搬送物の搬送方向に交差し、吸着具は、吸引管路からの吸引圧力によって、搬送対象物と対向して、搬送対象物を吸着する吸着面と、吸着面の搬送対象物側に突出して設けられる接触部と、を備え、接触部は、吸引管路からの吸引圧力の付与方向において、吸着面の一部の領域である重複領域において重なり、重複領域の少なくとも一部は、吸引圧力の付与方向と略垂直方向に凹状である空隙を有し、空隙は、その体積を可変である。
【００３４】
この構成により、ピッキング装置は、垂直方向の吸着と、平面方向の支持との組み合わせによって、搬送対象物を落下させること無く搬送方向に搬送できる。この構成により、吸着具は、袋物である搬送対象物も確実に吸着できる。
【００３５】
本発明の第２の発明に係るピッキング装置では、第１の発明に加えて、第１支持部材および第２支持部材のそれぞれは、接触面同士の対向距離を変更可能に可動する。
【００３６】
この構成により、第１支持部材および第２支持部材は、様々な大きさを有する搬送対象物に対応できる。
【００３７】
本発明の第３の発明に係るピッキング装置では、第２の発明に加えて、第１支持部材および第２支持部材のそれぞれは、搬送対象物の搬送方向の幅に対応して可動する。
【００３８】
この構成により、第１支持部材および第２支持部材は、様々な大きさを有する搬送対象物に対応して、搬送対象物の側面を支えることができる。
【００３９】
本発明の第４の発明に係るピッキング装置では、第１から第３のいずれかの発明に加えて、接触面は、平坦な表面を有する。
【００４０】
この構成により、第１支持部材および第２支持部材は、搬送対象物の支えを実現すると共に開放時に悪影響を生じさせない。
【００４１】
本発明の第５の発明に係るピッキング装置では、第１から第４のいずれかの発明に加えて、接触面は、搬送方向の変化に合わせて、対向方向を変化させる。
【００４２】
この構成により、第１支持部材および第２支持部材は、搬送方向に加わる圧力によって、搬送対象物が落下するのを防止できる。
【００４３】
本発明の第６の発明に係るピッキング装置では、第１から第５のいずれかの発明に加えて、接触面は、搬送方向に略垂直である。
【００４４】
この構成により、第１支持部材および第２支持部材は、搬送方向に加わる圧力に、確実に対応できる。
【００４５】
本発明の第７の発明に係るピッキング装置では、第１から第６のいずれかの発明に加えて、第１支持部材および第２支持部材のそれぞれは、吸着具が吸着した搬送対象物の搬送方向に沿う可動域を低減もしくは消失させる。
【００４６】
この構成により、第１支持部材および第２支持部材は、搬送中の搬送対象物の動きを抑えて、落下を防止できる。
【００４９】
本発明の第８の発明に係るピッキング装置では、第１の発明に加えて、吸着面は、略円形もしくは略楕円形であり、接触部は、吸着面に設けられるリング状を有し、吸着面は、格子状の開口部を有し、接触部は、搬送対象物に対して、吸着面より突出し、接触部は、リング状に沿った凹部を、吸着面と接触部との間に形成する。
【００５０】
本発明の第９の発明に係るピッキング装置では、第１の発明に加えて、空隙は、吸着面および接触部で吸着している搬送対象物の変形部分を収容する。
【００５１】
これらの構成により、吸着具は、確実に搬送対象物を吸着できる。
【００５２】
本発明の第１０の発明に係るピッキング装置では、第１から第９のいずれかの発明に加えて、吸着具、第１支持部材および第２支持部材のそれぞれを上下させると共に、接触面同士の対向距離を変化させる駆動部と、
吸引管路に吸引圧力を付与する吸引装置と、を更に備え、駆動部および吸引装置は、
（１）吸着具を設置されている搬送対象物に下降させるステップ１、
（２）吸着具が搬送対象物を吸着するステップ２、
（３）吸着具が上昇するステップ３、
（４）第１支持部材および第２支持部材が搬送対象物に、接触面を接触させるステップ４、
（５）搬送対象物を、所定の搬送位置に搬送するステップ５、
の少なくとも一つを、実行する。
【００５３】
吸引管路に吸引圧力を付与する吸引装置と、を更に備え、駆動部および吸引装置は、
（１）吸着具を設置されている搬送対象物に下降させるステップ１、
（２）吸着具が搬送対象物を吸着するステップ２、
（３）吸着具が上昇するステップ３、
（４）第１支持部材および第２支持部材が搬送対象物に、接触面を接触させるステップ４、
（５）搬送対象物を、所定の搬送位置に搬送するステップ５、
の少なくとも一つを、実行する。
【００５４】
この構成により、ピッキング装置は、落下させること無く搬送対象物を、所定の搬送位置まで搬送できる。
【００５５】
本発明の第１１の発明に係るピッキング装置では、第１０の発明に加えて、駆動部および吸引装置は、
（６）第１支持部材および第２支持部材の、搬送対象物への接触を開放するステップ６、
（７）搬送位置に到達した後で、吸着具を下降させるステップ７、
（８）吸引管路への吸引圧力を開放するステップ８、
の少なくとも一つを実行する。
【００５６】
この構成により、ピッキング装置は、所定の搬送位置において、設置すべき設置位置に搬送対象物を設置できる。
【００５７】
本発明の第１２の発明に係るピッキング装置では、第１０又は第１１の発明に加えて、ステップ１の場合には、吸着具の接触部は、第１支持部材および第２支持部材の先端よりも、搬送対象物に近く、ステップ４の場合には、第１支持部材および第２支持部材の先端は、吸着具の接触部よりも、所定距離以上において搬送対象物に近い。
【００５８】
この構成により、箱などに搬送対象物が入っている場合でも、ピッキング装置は、第１支持部材などの影響を受けずに吸着や移動をできる。
【００５９】
本発明の第１３の発明に係るピッキング装置では、第１２の発明に加えて、所定距離は、搬送対象物の厚みの半分以上である。
【００６０】
この構成により、第１支持部材および第２支持部材は、確実に搬送対象物の両側面を支えることができる。
【００６１】
以下、図面を参照しながら、本発明の実施の形態を説明する。
【００６２】
（実施の形態１）
【００６３】
（ピッキング装置全体概要）
まず、実施の形態１におけるピッキング装置の全体概要を説明する。図１は、本発明の搬送装置の全体斜視図である。図１は、実施の形態１におけるピッキング装置１を含んで実際の製造ラインや箱詰めラインに設置される搬送装置全体を示している。
【００６４】
ピッキング装置１は、搬送装置３００の一部に用いられる。搬送装置３００は、製造ラインや箱詰めラインにおいて、搬送対象物をある場所から別の場所に移動させる。図１では、製造ライン１００における第１ライン１０１に設置された箱１０２に詰められている搬送対象物５０が、第２ライン１０４に設置された箱１０３に搬送される。ピッキング装置１には、制御ロボット２００が備わっている。制御ロボット２００は、筐体２１０と、ピッキング装置１の姿勢を制御する姿勢制御部材２０１、２０２を備えている。また、図１には図示していないが、ピッキング装置１は、吸引装置に接続されている。
【００６５】
このように、搬送装置３００は、ピッキング装置１とこれを制御する制御ロボット２００を備え、製造ライン１００に備わる搬送対象物５０を掴んで所定の位置に搬送する。ピッキング装置１が搬送装置３００の一部として取り付けられて、ピッキング装置１の動作によって、箱１０２に入れられている搬送対象物５０が、別の箱１０３に搬送される。ピッキング装置１は、搬送装置３００として製造ラインや箱詰めラインに設置されて使用される。
【００６６】
ここで、図１では、ピッキング装置１は、搬送対象物５０を実際に掴んで搬送する部分を示しており、ピッキング装置１を含んだ全体を搬送装置３００として示している。しかしながら、ピッキング装置１と搬送装置３００とを、特段に区別する必要があるものではない。例えば、図１で搬送装置３００として示されている制御ロボット２００（筐体２１０なども）までを含めた構成を、ピッキング装置として把握しても良い。当然に、ピッキング装置１は、図１に示されるように、搬送対象物５０と直接的に対峙する部分だけで把握されても良い。
【００６７】
制御ロボット２００は、図示していないが、別途接続される吸引装置からの吸引圧力を付与したり、姿勢制御部材２０１、２０２を用いてピッキング装置１の姿勢を制御したりすることで、ピッキング装置１の実動作を制御する。制御ロボット２００による制御によって、ピッキング装置１が、搬送対象物５０を掴んで搬送でき、製造ライン１００に設置された搬送装置３００は、その機能を発揮する。
【００６８】
（ピッキング装置の概要）
ピッキング装置１は、上述のように、製造ライン１００に設置される搬送装置３００の一部として把握されても良いし、搬送装置３００全体として把握されても良い。
【００６９】
図２は、本発明の実施の形態１におけるピッキング装置の斜視図である。図２のピッキング装置１は、図１中に示されたピッキング装置１を拡大したものである。ピッキング装置１は、吸引管路２、吸着具３、第１支持部材４、第２支持部材５を、備える。吸着具３は、吸引管路２に接続して設けられる。吸引管路２、第１支持部材４および第２支持部材５は、構造部材６に接続しており、構造部材６が、ピッキング装置１を、図１に示す制御ロボット２００に接続する。構造部材６によって、個々の要素である吸引管路２、第１支持部材４、第２支持部材５がまとめられる。
【００７０】
吸引管路２は、吸引装置（図示せず）と直接的もしくは間接的に接続されて、吸引圧力を吸着具３に付与する。吸引装置は、吸引圧力の付与と開放との動作を実行できるので、吸引管路２は、吸着具３に対して、吸引圧力の付与と吸引圧力の開放とを切り替えることができる。
【００７１】
吸着具３は、吸引管路２に接続され、吸引管路２からの吸引圧力によって、搬送対象物５０を吸着する。すなわち、吸着具３は、ある場所に置かれている搬送対象物５０を、実際に吸着することで、掴みあげることができる。
【００７２】
第１支持部材４は、吸着具３の一方の側面に設けられる。第２支持部材５は、第１支持部材４と逆側（すなわち他方）の側面に設けられる。このため、第１支持部材４と第２支持部材５は、間に吸着具３を挟んで配置される（間に吸着具３を挟んで相互に対向する）ようになる。これは図２に示されるとおりである。
【００７３】
第１支持部材４は、搬送対象物５０に接触可能な接触面４１を有する。第１支持部材４は、この接触面４１を搬送対象物５０に接触させることで、搬送対象物５０の姿勢を維持するよう添えを提供できる。同様に、第２支持部材５は、搬送対象物５０に接触可能な接触面５１を有する。第２支持部材５は、この接触面５１を搬送対象物５０に接触させることで、搬送対象物５０の姿勢を維持できる添えを提供できる。
【００７４】
ここで、第１支持部材４および第２支持部材５は、吸着具３を挟んで対向する。吸着具３が搬送対象物５０を吸着するので、第１支持部材４と第２支持部材５は、搬送対象物５０を挟んで対向することになる。このため、第１支持部材４の接触面４１が、吸着具３に吸着されている搬送対象物５０の一方の面に接触し、第２支持部材５の接触面５１が、吸着具３に吸着されている搬送対象物５０の他方の面に接触する。すなわち、搬送対象物５０は、垂直方向においては、吸着具３による吸着を受け、平面方向においては、第１支持部材４および第２支持部材５の接触により姿勢維持の力を受ける。
【００７５】
吸着具３は、搬送対象物５０を吸着して垂直方向に吸い上げて、所定方向に移動させる。例えば、図１であれば、箱１０２で吸着された搬送対象物５０は、垂直方向に吸い上げられる。更に、搬送対象物５０は、箱１０２から箱１０３に向けて平面方向に移動される。この移動の際には、搬送対象物５０は、平面方向の圧力（Ｇ）を受ける。吸着具３のみしかない従来技術のピッキング装置は、この平面方向の圧力によって、吸着して移動させている搬送対象物を落下させることがあった。しかしながら、実施の形態１におけるピッキング装置１は、搬送対象物５０の側面に接触面４１、５１をあてがうことのできる第１支持部材４と第２支持部材５とを備えている。この結果、平面方向への移動の際に加わる圧力に対向でき、ピッキング装置１は、搬送対象物５０を落下させずに済む。
【００７６】
（動作手順）
次に、ピッキング装置１の動作手順について、図３〜図１０を用いて説明する。図３〜図１０は、本発明の実施の形態１におけるピッキング装置の動作手順の説明図である。図３〜図１０のそれぞれは、ピッキング装置１の動作手順を、段階的かつ離散的に示したものである。すなわち、ピッキング装置１の動作が進む順序に対応して、図３〜図１０は、それぞれのタイミングでのピッキング装置１の正面を示している。
【００７７】
また、図示していないが、ピッキング装置１は、吸着具３、第１支持部材４および第２支持部材の位置、姿勢などを動作させて制御する駆動部を有している。駆動部は、構造部材６に含まれても良いし、図１の制御部２００に含まれても良い。駆動部が、吸着具３などを下降、上昇させたり、第１支持部材４、第２支持部材５の対向距離を変えたりする。
【００７８】
（ステップ１）
最初の段階では、ピッキング装置１は、搬送対象物５０から吸着具３が離れている。吸着具３は、吸引管路２による吸引圧力の付与や開放に合わせて、構造部材６によって、上下可能である。最初の段階では、吸着具３は、上昇した状態であり搬送対象物５０と接触していない。また、第１支持部材４および第２支持部材５も上昇した状態で搬送対象物５０と接触していない。
【００７９】
まず、ステップ１では、ピッキング装置１は、吸着具３を搬送対象物５０に向けて下降させる。図３は、この下降開始状態を示している。ピッキング装置１は、図１に示されるように、ある製造ライン１００に置かれた箱１０２に入っている搬送対象物５０を吸着し、箱１０３に搬送する。ピッキング装置１は、制御ロボット２００などに画像処理機能を持たせており、画像処理によって、搬送対象物５０が吸着具３の下に位置していることを把握できる。言い換えれば、吸着具３が搬送対象物５０の上に位置するように、制御ロボット２００は、吸着具３の位置を調整する。
【００８０】
吸着具３が、搬送対象物５０の上に位置すると、構造部材６が、吸着具３を下降させる。搬送対象物５０が、吸着具３の下に存在するので、吸着具３が下降することで、吸着具３が、搬送対象物５０を吸着できる。
【００８１】
なお、一般的に搬送対象物５０は、箱１０２などに入れられているので、吸着具３が下降することをステップ１として説明した。しかしながら、搬送対象物５０を収容している箱１０２が上昇可能であれば、吸着具３が下降するのではなく、搬送対象物５０が吸着具３に上昇してくることでもよい。
【００８２】
吸着具３が下降することで、吸着具３は、第１支持部材４および第２支持部材５の先端よりも、下側（搬送対象物５０側）に、その先端（吸着具３において搬送対象物５０と接触する接触部）を位置させるようになる。
【００８３】
（ステップ２）
ステップ１によって、吸着具３の下降が進むと、吸着具３が搬送対象物５０に接触する。接触すると、吸引管路２には、吸引圧力が付与されて、この吸引圧力は、吸着具３にも付与される。こうして、ステップ２にて、吸着具３が搬送対象物５０を吸着する。図４は、このステップ２を示している。
【００８４】
吸引管路２には、吸引装置が接続されており、吸引装置が、吸引管路２に吸引圧力を付与する。吸着具３は、吸引管路２と接続されており、この吸引圧力を付与される。吸着具３が、その先端を搬送対象物５０に接触させた上で吸引圧力を付与することで、吸着具３は、搬送対象物５０を吸引できる。
【００８５】
ここで、搬送対象物５０は、内容物を袋に収容する袋物である。たとえば、菓子、パン、惣菜製品、加工食品など、変形性がある内容物を収容している袋物である。このような袋物は、内容物も袋そのものも変形性を有しているので、吸着具３によって吸着されると、外形（特に袋）が、変形する。
【００８６】
図４に示されるステップ２によって、ピッキング装置１は、吸着力によって搬送対象物５０を、上方に移動できるようになる。なお、図４に示されるステップ２においては、吸着具３は、吸着している搬送対象物５０に吸引圧力を付与し続ける。吸着を停止させないためである。
【００８７】
吸着具３は、吸引管路２からの吸引圧力である吸引空気を搬送対象物５０に付与する。吸着具３は、吸引空気を付与しつつ搬送対象物５０を吸着する吸着面を備えており、この吸着面が、搬送対象物５０を吸い上げて吸着できる。吸着面は、例えばメッシュ状となっており、搬送対象物５０に吸引空気による吸引圧力を付与して吸着する。
【００８８】
（ステップ３）
図５は、ステップ３を示す。ステップ３では、図５に示されるとおり、吸着具３が、吸着した搬送対象物５０を上昇させる。ピッキング装置１は、箱１０２から箱１０３に搬送対象物５０を搬送する場合がある。この場合には、ピッキング装置１は、搬送対象物５０を、一端所定の高さに上昇させてから平面方向に移動させる必要がある。このため、ステップ３によって、ピッキング装置１は、吸着具３を上昇させることで、吸着されている搬送対象物５０を上昇させる。構造部材６が、吸着具３や吸引管路２を上昇させることで、ピッキング装置１は、吸着されている搬送対象物５０の上昇を実現する。
【００８９】
吸着具３が上昇することで、搬送対象物５０の両側面に、第１支持部材４と第２支持部材５とが、位置するようになる。このため、第１支持部材４の有する接触面４１と第２支持部材５の有する接触面５１とが、搬送対象物５０の両側面に位置するようになる。
【００９０】
（ステップ４）
次に、ステップ４によって、第１支持部材４および第２支持部材５のそれぞれは、接触面４１と接触面５１とを、搬送対象物５０の側面に接触させる。図６は、ステップ４を示している。搬送対象物５０は、袋物であるが、袋物であっても、便宜上、側面が存在する。吸着具３を基準にして、第１支持部材４は、搬送対象物５０の一方の側面に、接触面４１を接触させる。一方、第２支持部材５は、第１支持部材４と逆側の側面に、接触面５１を接触させる。
【００９１】
ここで、第１支持部材４および第２支持部材５のそれぞれは、搬送対象物５０の搬送方向に沿って、接触面４１、５１を接触させる。言い換えれば、接触面４１、５１のそれぞれは、搬送方向に略垂直である。接触面４１、５１が、このように搬送対象物５０に接触させられることで、平面方向での移動時に、搬送方向に加わる圧力に対応できる。
【００９２】
なお、接触面４１、５１のそれぞれは、搬送対象物５０の姿勢を維持できるように接触させられれば良く、非常に強い圧力で接触する必要は無い。搬送対象物５０である袋物の袋や内容物を破壊しないためである。
【００９３】
第１支持部材４および第２支持部材５のそれぞれは、両サイドから、搬送対象物５０に近づくようにスライド動作することで、接触面４１、５１を、搬送対象物５０に接触させる。このとき、第１支持部材４および第２支持部材５は、相互に連動してスライド動作しても良いし、それぞれが独立してスライド動作しても良い。例えば、第１支持部材４がより大きくスライド動作して、接触面４１を搬送対象物５０に接触させてもよいし、逆でも良い。
【００９４】
いずれにしても、第１支持部材４および第２支持部材５のそれぞれは、接触面４１、５１を、搬送対象物５０の両側面に、あてがうように接触させる。
なお、このときには、第１支持部材４および第２支持部材５の先端は、吸着具３の先端よりも上方に位置する。
【００９５】
（ステップ５）
ステップ４で、第１支持部材４および第２支持部材５が、接触面４１、５１を搬送対象物５０に接触させた後で、ピッキング装置１は、所定の搬送方向に搬送対象物５０を移動させる。これが、ステップ５であり、図７は、ステップ５を示している。図１の状態では、箱１０２から箱１０３に向けた平面方向に、ピッキング装置１は、搬送対象物５０を移動させる。
【００９６】
ピッキング装置１は、画像処理や座標処理を用いて、吸着している搬送対象物５０を、所定位置まで移動させる。例えば、箱１０３のある位置まで、搬送対象物５０を移動させる。このとき、搬送対象物５０は、吸着具３による吸着のみでピッキング装置１に固定されているだけである。このため、通常であれば、平面方向への移動において、搬送対象物５０に加わる圧力によって、ピッキング装置１は、搬送対象物５０を落下させてしまう可能性もある。
【００９７】
しかし、実施の形態１のピッキング装置１は、搬送対象物５０の両側面であって、特に搬送方向に略垂直方向に接触面４１、５１を接触させている。このため、横方向に加わる圧力に対向できて、ピッキング装置１は、搬送対象物５０を落下させにくい。また、第１支持部材４および第２支持部材５は、接触面４１、５１を、あてがう程度に接触させるだけであり、強い圧力で、搬送対象物５０を把持するものではない。このため、ピッキング装置１は、搬送対象物５０を、破損
させることが無い。
【００９８】
従来技術は、搬送対象物を両側面から強く把持することで搬送することを模索していたが、この場合には、袋物である搬送対象物を破損してしまう。あるいは、吸着だけに着目して模索していたが、この場合には、吸着装置が大掛かりになったり、大掛かりでありながら平面方向での移動時に落下させることを防止できなかったりしていた。
【００９９】
実施の形態１のピッキング装置１は、吸着具３による垂直方向の吸着と、平面方向での第１支持部材４と第２支持部材５による姿勢維持によって、搬送対象物５０を落下させること無く、所定の搬送位置に搬送できる。すなわち、第１支持部材４および第２支持部材５（接触面４１、５１）は、吸着具３が吸着した搬送対象物の搬送方向における可動域を低減もしくは消失させる。この結果、第１支持部材４、第２支持部材５は、搬送中の搬送対象物５０の姿勢や相対位置を維持できる。つまり、吸着具３を基準として、搬送対象物５０が搬送中に動かない。この結果、ピッキング装置１は、搬送対象物５０を落下させにくくなる。
【０１００】
（ステップ６）
ステップ１〜ステップ５によって、ピッキング装置１は、搬送対象物５０を、所定位置に搬送できる。ピッキング装置１は、所定位置に搬送された搬送対象物５０を、設置してその処理を終了できる。
【０１０１】
図８は、ステップ６を示す。吸着具３は、搬送対象物５０を搬送すべき所定の搬送位置の上空に位置している（すなわち、搬送対象物５０も所定の搬送位置の上空に位置している）。ステップ６では、第１支持部材４および第２支持部材５のそれぞれは、接触面４１、５１の接触を開放する。第１支持部材４および第２支持部材５は、搬送対象物５０から接触面４１、５１を遠ざける方向にスライド動作する。この結果、ピッキング装置１は、吸着具３による吸着のみで、搬送対象物５０を保持するようになる。
【０１０２】
（ステップ７）
次に、ステップ７にて、ピッキング装置１は、搬送対象物５０を下降させる。図９は、ステップ７を示す。ステップ７では、ピッキング装置１は、吸着具３を下降させる。構造部材６や吸引管路２による制御で、吸着具３は下降する。
【０１０３】
吸着具３が下降するのに合わせて、搬送対象物５０も下降する。搬送対象物５０は、図１の場合には、箱１０３に詰められるので、上方から下ろされる必要がある。吸着具３の下降によって、搬送対象物５０は、箱１０３内部に下ろされる。また、吸着具３の下降によって、吸着具３の先端（搬送対象物５０と接触する接触部）が、第１支持部材４および第２支持部材５のそれぞれの先端よりも、下方に位置するようになる。吸着具３の下降に従って、搬送対象物５０は、次第に最終的に設置される位置に近づく。
【０１０４】
（ステップ８）
ピッキング装置１は、ステップ８にて、搬送対象物５０を開放して設置すべき搬送位置に着座させる。図１０は、ステップ８を示している。ステップ８では、吸引管路２は、吸着具３への吸引圧力を開放する（吸引圧力を低減もしくは無くす）。この結果、吸着具３は、搬送対象物５０を吸着できなくなって、搬送対象物５０は、吸着具３から自由になる。こうして、搬送対象物５０が、配置箇所に設置される。
【０１０５】
ピッキング装置１は、このステップ６〜８によって、搬送対象物５０を、最終的な設置すべき配置箇所に搬送できる。
【０１０６】
ピッキング装置１は、搬送対象物５０毎にこのステップ１〜ステップ８を繰り返して、所定の搬送位置に、搬送対象物５０を搬送できる。第１支持部材４と第２支持部材５による搬送方向に沿った補助が吸着具３に組み合わされることで、ピッキング装置１は、搬送対象物５０を落下させることもなく搬送できる。
【０１０７】
これらが相まって、ピッキング装置１は、正確かつ高速に、搬送対象物５０を搬送できる。特に、吸着や搬送がしにくい袋物を搬送対象物とする場合でも、正確かつ高速に搬送できる。
【０１０８】
以上のように、実施の形態１におけるピッキング装置１は、ステップ１〜ステップ８の機能を発揮して、正確かつ高速に搬送対象物５０をピッキングして搬送できる。
【０１０９】
（実施の形態２）
【０１１０】
次に実施の形態２について説明する。実施の形態１のステップ１〜８で説明したように、ピッキング装置１は、第１支持部材４および第２支持部材５を搬送対象物５０にあてがうことで、搬送対象物５０を落下させること無く、搬送方向に沿って移動させることができる。このため、第１支持部材４および第２支持部材５のそれぞれが所定の機能や特性を有していることが、ピッキング装置１の性能向上に好適である。実施の形態２では、これらについて説明する。
【０１１１】
第１支持部材４および第２支持部材５の有する接触面４１、５１のそれぞれは、搬送方向に略垂直であることが適当である。このように搬送方向に略垂直であることで、搬送対象物５０に付与される搬送方向に沿った圧力に、第１支持部材４および第２支持部材５は対応できる。
【０１１２】
ここで、ピッキング装置１が搬送する搬送対象物５０は、内容物を収容する袋物であることが多い。このような袋物は、様々な大きさを有する。例えば、菓子、パン、加工食品などを内容物とする袋物は、内容物によって様々な大きさとなる。
【０１１３】
第１支持部材４および第２支持部材５のそれぞれは、搬送対象物５０の両側面に接触面４１、５１を接触させて支える。第１支持部材４および第２支持部材５のそれぞれは、搬送対象物５０の大きさの違いに合わせて、接触面４１、５１同士の対向距離を変更可能に可動する。第１支持部材４および第２支持部材５は、構造部材６に接続している。この構造部材６が、第１支持部材４および第２支持部材５を動作させて、対向距離を縮めたり拡げたりする。
【０１１４】
ピッキング装置１は、搬送対象物５０の位置や大きさを判別する画像処理機能を備えていたり、搬送対象物５０の位置や大きさを事前に把握する座標解析機能を備えていたりする。これらには、汎用のデバイス等が用いられればよい。ピッキング装置１は、この画像処理機能や座標解析機能を用いて、搬送対象物５０の大きさや形状を把握できる。
【０１１５】
この把握した大きさや形状に合わせて、構造部材６が、第１支持部材４と第２支持部材５とを動作させる。この動作によって、接触面４１、５１同士の距離が変更される。変更されることで、接触面４１、５１は、搬送対象物５０の側面に接触したり、搬送対象物５０の側面から離れたりする。特に、第１支持部材４および第２支持部材５は、搬送方向に略垂直に接触面４１、５１を接触させるので、第１支持部材４および第２支持部材５のそれぞれは、搬送対象物５０の搬送方向の幅に対応して可動する。
【０１１６】
あるいは、第１支持部材４および第２支持部材５は、接触を検出するセンサーを備えておき、接触面４１、５１が搬送対象物５０に接触したことを検知して、動作を停止しても良い。
【０１１７】
ここで、接触面４１、５１は、平坦な表面を有することが好適である。第１支持部材４および第２支持部材５のそれぞれは、吸着具３が吸着して移動させる搬送対象物５０の搬送方向での可動域を低減もしくは消失させるものである。このため、接触面４１、５１は、搬送対象物５０の側面にあてがわれる程度が適当である。表面が凸凹しているよりは、表面が平坦であることのほうが、可動域を低減もしくは消失させることに適している。
【０１１８】
また、第１支持部材４および第２支持部材５は、ステップ６〜８におけるように、搬送対象物５０を開放する必要もある。このような場合を考慮すると、接触面の表面は、凸凹などの摩擦係数の高い状態よりも、平坦であって摩擦係数の低い状態であることが好ましい。
【０１１９】
また、接触面４１、５１のそれぞれは、搬送方向の変化に合わせて対向方向を変化させることも好ましい。
【０１２０】
例えば、ある搬送対象物５０の搬送方向が、図３の左右方向である場合には、接触面４１、５１は、左右方向を挟むように対向する。一方、搬送対象物５０の搬送方向が、図３の奥行き方向となる場合には、接触面４１、５１は、前後方向を挟むように対向する。搬送途中で、搬送方向が変化する場合には、接触面４１、５１の対向方向もこれに合わせて変化する。例えば、第１支持部材４および第２支持部材５のそれぞれが向きを変えることで、接触面４１、５１の対抗面が変化する。
【０１２１】
このように、接触面４１、５１の対向面が、搬送方向の変化に対応することで、ピッキング装置１は、搬送対象物５０に搬送方向に加わる圧力に対して、常に対応できるようになる。結果として、ピッキング装置１は、搬送対象物５０を、平面方向に移動させる際に、落下させることを防止できる。
【０１２２】
実施の形態１のピッキング装置１は、吸着具３による垂直方向の吸着・移動と、第１支持部材４および第２支持部材５による平面方向の圧力への対応による平面方向の移動とを、最適に組み合わせて、袋物のように落下しやすい搬送対象物５０を、正確かつ高速に搬送できる。
【０１２３】
（位置関係）
また、第１支持部材４および第２支持部材５は、吸着具３との位置関係を変えながら、搬送対象物５０の搬送を行うことが好適である。吸着具３は、搬送対象物５０を吸着する。搬送対象物５０は、図１のように箱１０２に入っていることも多く、吸着具３は、搬送対象物５０に最初に接触する必要がある。一方で、第１支持部材４および第２支持部材５は、箱１０２の外壁などに接触することは好ましくない。
【０１２４】
このため、ピッキング装置１の処理手順（実施の形態１におけるステップ１〜８のそれぞれで）において、吸着具３と、第１支持部材４および第２支持部材５との位置関係（搬送対象物５０に対する高さ）が、制御されることが好ましい。
【０１２５】
ステップ１の場合には、吸着具３が、下降を開始しつつ搬送対象物５０に接触する。このため、ステップ１では、吸着具３の接触部（先端であって、搬送対象物５０にもっとも近い部分）は、第１支持部材４および第２支持部材５の先端よりも搬送対象物５０に近い。このように制御されることで、吸着具３は、箱１０２に入っている搬送対象物５０を吸着できる上、第１支持部材４や第２支持部材５が箱１０２に衝突するなどの不具合も生じない。
【０１２６】
これに対して、ステップ４の場合には、第１支持部材４および第２支持部材５は、搬送対象物５０に接触面４１、５１を接触させる。このため、第１支持部材４および第２支持部材５のそれぞれの先端は、吸着具３の先端よりも、所定距離以上において、搬送対象物５０に近いことが好適である。すなわち、搬送対象物５０に近い位置にあるのが、第１支持部材４および第２支持部材５となる。このように、第１支持部材４および第２支持部材５の先端が、吸着具３よりも搬送対象物５０に近いことで、第１支持部材４および第２支持部材５は、吸着具３が吸着している搬送対象物５０の側面を支えることができる。
【０１２７】
また、ここでの所定距離は、搬送対象物５０の厚みの半分以上であることが好ましい。半分以上であれば、吸着具３に吸着されている搬送対象物５０を、第１支持部材４および第２支持部材５は、安定的に支えることができるからである。
【０１２８】
なお、ステップ１、ステップ４を例として説明したが、要は吸着を行うタイミングでは、吸着具３が下方にあり、両側面での支持を行うタイミングでは、第１支持部材４と第２支持部材５が下方にあればよい。
【０１２９】
以上、実施の形態２のピッキング装置１は、第１支持部材４および第２支持部材５の位置や姿勢などが最適に制御されることで、より正確かつ高速に、搬送対象物５０を搬送できる。
【０１３０】
（実施の形態３）
【０１３１】
次に、実施の形態３について説明する。実施の形態３では、ピッキング装置１が備える吸着具の変形例について説明する。
【０１３２】
ピッキング装置１は、吸着具３に、第１支持部材４と第２支持部材５が組み合わされることで構成される。吸着具３は、搬送対象物５０を吸着して垂直方向に吸い上げる。第１支持部材４および第２支持部材５は、搬送対象物５０の平面方向での圧力に対応する。ここで、搬送対象物５０は袋物であることが多く、吸着具３が、袋物を確実に吸着できることが求められる。
【０１３３】
図１１は、本発明の実施の形態３における吸着具の斜視図である。吸着具３が搬送対象物５０を吸着する面を表に見せている。吸着具３は、吸引管路２に接続し、吸着面３３と、接触部３４とを備える。吸着具３は、吸着面３３および接触部３４を用いて、搬送対象物を吸着する。
【０１３４】
吸引管路２は、筒状の形状をしており、吸引管路２は、吸着面３３を介して、搬送対象物に吸引圧力を付与する。吸引管路２は、例えば吸引空気を吸引管路２の延伸方向に沿って、搬送対象物に付与する。すなわち、吸引管路２は、吸着面３３の面方向に交差する方向（特には略垂直方向）に、吸引圧力を付与する。吸着面３３は、搬送対象物と対向して、吸引管路２からの吸引圧力によって、搬送対象物を吸着する。図１１では、吸着面３３は、メッシュ状となっており、メッシュ状の開口部を通じて空気を吸引することで、吸引圧力を搬送対象物に付与する。接触部３４は、吸着面３３において搬送対象物側に突出して設けられ、搬送対象物の一部と接触する。
【０１３５】
接触部３４は、吸引管路２からの吸引圧力の付与方向において、吸着面３３の一部の領域である重複領域で重複する。図１２は、本発明の実施の形態３における吸着具の正面図である。図１２は、吸着具３を吸着面３３側から見た状態を示している。搬送対象物は、この吸着面３３と接触部３４とによって吸着されつつ固定される。図１２において、接触部３４は、吸着面３３の一部と重なる。斜線で示された領域が、重複領域３６である。要は、接触部３４は、吸着面３３の前方（搬送対象物側）で、吸着面３３の一部と重なるようにして、吸着面３３の一部を隠している。
【０１３６】
また、この重複領域３６の少なくとも一部は、吸引管路２による吸引圧力の付与方向と略垂直方向に、凹状の空隙を有する。図１３は、本発明の実施の形態３における吸着具の側面図である。図１３は、吸着具３における吸着面３３近辺を透視状態として示している。側面図からわかる通り、接触部３４は、吸着面３３の外周に沿うようにして設けられており、吸着面３３の先端に突出している。また、接触部３４は、吸着面３３の前方に設けられるので、吸着面３３の一部である重複領域３６で重なっている。この重複領域３６の少なくとも一部は、図１３に示されるように空隙３７を有している。空隙３７は、接触部３４から吸着面３３に至る間に、凹状に凹むことで形成される。このとき、空隙３７は、接触部３４がえぐれるようにして形成される（すなわち、矢印Ａで示される吸引圧力方向に略垂直方向に凹むようにして、空隙３７が形成される）。
【０１３７】
従来技術の吸着具は、この接触部３４を有していないか、接触部３４を有していても、接触部３４は吸着面３３の外周に突出して設けられるだけで空隙３７は設けられない。実施の形態３の吸着具３は、この接触部３４や空隙３７を有する。
【０１３８】
図１１〜図１３で示される吸着具３は、筒状の吸引管路２の先端が末広がりに広がっている形状を有している。この広がった先端にメッシュ状の吸着面３３が設けられ、吸着面３３の外周に沿って接触部３４が突出している。また、接触部３４と吸着面３３の間に、接触部３４の裏面に隠れるようにして空隙３７が備わる。空隙３７は、吸引圧力の付与方向に略垂直方向に凹むようにして設けられる。ここで示される吸着具３の形状は一例であり、同様の機能を果たすことができれば、他の形状を有してもよい。
【０１３９】
吸着具３は、以上のような構成を有する。袋物のように柔軟性および変形性のある搬送対象物を吸着する際に、吸着面３３での吸着および空隙３７での吸着（変形する搬送対象物の一部が、空隙３７に食い込む）によって、吸着具３は、平面的だけでなく立体的に、搬送対象物を吸着できる。
【０１４０】
（吸着具による吸着の詳細）
次に、吸着具３による、搬送対象物の吸着を説明する。図１４は、本発明の実施の形態３における搬送対象物を吸着した吸着具の側面図である。吸着具３は、その先端で搬送対象物５０を吸着する。ここで、搬送対象物５０は、内容物を収容した袋物である。まず、吸着具３は、その先端である吸着面３３に搬送対象物５０をあてがう。例えば、吸着具３が製造ラインや箱に置かれている搬送対象物５０に対向して近づけられ、近づけられた後で吸着面３３が搬送対象物５０にあてがわれる。
【０１４１】
吸引管路２は、矢印Ａに沿った吸引空気を付与することで、搬送対象物５０に吸引圧力を付与できる。吸引空気は、吸着面３３に付与されるので、メッシュ状の開口部から外部に対して空気の圧力が付与される。搬送対象物５０は、最初に吸着面３３に接触するので、このメッシュ状の開口部から吸い上げられる空気によって、搬送対象物５０は、吸着面３３に吸いつけられる。
【０１４２】
吸着面３３と搬送対象物５０との吸着面積が広がると、搬送対象物５０である袋は変形を始める。袋が変形をすると、図１５のように、袋の一部が空隙３７に入り込むようになる。図１５は、本発明の実施の形態３における搬送対象物が吸着された吸着具の側面図である。搬送対象物５０の袋が変形をして、変形した袋の一部が空隙３７に入り込んだ状態を示している。空隙３７に袋の一部が変形して入り込むことで、搬送対象物５０の外側の一部は、接触部３４に接触するようになる。
【０１４３】
図１５から明らかな通り、搬送対象物５０は、吸着面３３、空隙３７、接触部３４の順序で接触しつつ吸着されている。すなわち、搬送対象物５０は、吸着面３３において平面的に吸着されているだけでなく、空隙３７および接触部３４と合わせて立体的に吸着されている。吸着具３は、このように、袋物である搬送対象物５０が、外側である袋の変形を利用して、搬送対象物５０を立体的に吸着できる。
【０１４４】
空隙３７は、変形した搬送対象物５０の一部を収容することで、搬送対象物５０にとっては、接触部３４が引っ掛かりとなる。この結果、次の作用が生じる。
（作用１）搬送対象物５０は、吸引圧力方向と略垂直方向に引っ掛かりを生じさせることで、吸引圧力の付与方向に対する固定力を増加させる。
（作用２）吸引圧力方向と略垂直方向に引っ掛かりが生じることで、搬送対象物５０は、吸引圧力方向で外れにくくなる。
（作用３）空隙３７に搬送対象物５０の一部が収容されることで、吸着面３３と搬送対象物５０との接触面が広がり、搬送対象物５０において生じるしわが吸着面３３と連通しにくくなる。
（作用４）作用３の結果、吸着面３３と搬送対象物５０とを連通するしわによる空気漏れが生じなくなり、搬送対象物５０に対する吸着面３３での吸着力が高まる。
【０１４５】
ここで説明した作用１〜４によって、搬送対象物５０は、吸着具３から外れにくくなり、強い固定力で吸着される。吸着具３は、このように、吸着面３３、空隙３７、接触部３４の三段階での立体的な吸着や接触によって、袋物のように変形しやすい搬送対象物５０を、強い固定力で吸着できる。もちろん、袋が内容物を収容する袋物以外であっても、変形しやすい商品や製品であれば、本発明の吸着具３は、好適に吸着できる。また、吸着具３は、内容物を収容する袋を変形させつつ強い吸着を行うので、袋が収容する内容物を変形させたり破壊したりすることもない。
【０１４６】
また、実施の形態１で説明したように、このような吸着具３に第１支持部材４および第２支持部材５とが組み合わされたピッキング装置１は、搬送中に搬送対象物５０を落下させることがない。
【０１４７】
吸着具３は、吸引装置と吸引管路２に接続する管路と接続される。このとき、吸引管路２は、管路内部に嵌合されて吸引装置からの吸引圧力によって上下可能である。この上下によって、吸着具３の吸着面３３と搬送対象物５０との距離が調整できる。
【０１４８】
このような吸着具３を備えるピッキング装置１は、次の要件１〜３を満足できる。ピッキング装置１は、実施の形態３で説明される吸着具３を用いることで、より正確かつ高速に搬送対象物をピッキングして搬送できる。
【０１４９】
（要求１）対象物の高さ・厚みが統一されていなくても、柔軟に対応して拾い上げること。
（要求２）対象物に、変形や亀裂などを起こさないこと。
（要求３）対象物をピッキングした後、移動するための加減速が有っても吸着した物を落とさないこと。
【０１５０】
次に、各部の詳細について説明する。
【０１５１】
（吸引管路）
吸引管路２は、金属、合金、樹脂など種々の部材で形成されれば良いが、耐久性や気密性を考慮して、金属や合金で形成されるのが好ましい。吸引管路２は、同じ管路もしくは接続される別の管路を介して、吸引装置に接続される。また、吸引管路２は、吸引圧力を付与するために、高い気密性を有することが適当である。
【０１５２】
吸引管路２は、図１１などに示されるように筒状の部材である。また、搬送対象物５０に合わせた吸着面３３を形成しやすいように、先端は、末広がりに広がっていることも好適である。いわゆる、吸引管路２の先端はスカートを有していることも好適である。もちろん、吸引管路２は、先端まで同一形状を維持して延伸していてもよい。このとき、スカートとなっている部分は、吸引管路２の一部として把握されても良いし、別要素として把握されてもよい。スカートの部分は、筒状の部分と溶接や接着で一体化されてもよいし、予め一体の部材として形成されても良い。
【０１５３】
吸引管路２は、吸着具３の外形を形成する要素であるので、吸着面３３や搬送対象物５０の形状、大きさに合わせて形成されれば良い。特に、吸引管路２は、図１１に示されるように、先端部分だけの部材であって、吸引装置と別の管路で接続されることで、吸引管路２の形状、大きさが様々に用意されることが可能である（言い換えれば、吸着具３の形状、大きさが様々に用意される）。例えば、搬送対象物５０が大きければ、吸引管路２やこれに繋がる吸着面３３も大きくされればよい。あるいは、搬送対象物５０の形状によっては、吸引管路２や吸着面３３が円形ではなく、角形であってもよい。
【０１５４】
吸引管路２は、その先端に設けられる吸着面３３の開口を通じて、外部から空気を吸引するので、先端に開口部を有する。この開口部に吸着面３３が取り付けられる。
【０１５５】
（吸着面）
吸着面３３は、図１２に示されるように、メッシュ状の部材であることが好ましい。メッシュ状であることで、吸引管路２による空気の吸引での空気の通り道が形成されつつ、吸着する搬送対象物５０を吸引管路２内部に吸い込まないからである。また、メッシュ状である場合には、縦横のメッシュでも良いし、斜めのメッシュでも良い。
【０１５６】
吸着面３３は、金属、合金および樹脂などで形成されれば良い。耐久性や強度を考慮すると金属や合金で形成されることが好ましいが、交換容易のために樹脂で形成されることも好適である。
【０１５７】
また、吸着面３３は、種々の形状を有してもよい。方形であったり、角形であったり、円形であったりなどの形状を有してもよい。但し、吸着面３３は、様々な形状や大きさを有する搬送対象物５０に対する強い吸着力を生じさせるために、略円形もしくは略楕円形であることも好適である。略円形や略楕円形を有することで、搬送対象物５０と吸着面３３との間にしわができにくくなり、空隙３７への搬送対象物５０の一部の収容と相まって、吸着具３は、高い吸着力を生じさせるからである。
【０１５８】
（接触部）
接触部３４は、吸着面３３の前方（すなわち搬送対象物５０側）に突出している。すなわち、接触部３４は、吸着面３３よりも搬送対象物５０に近接している。
【０１５９】
接触部３４は、吸着面３３から様々な形態で突出すればよい。例えば、接触部３４は、吸着面３３の中央やその他の場所から突出しても良い。しかしながら、製造の容易性、吸着面３３全体の効率的活用を考慮して、接触部３４は、吸着面３３の外周に沿って突出するのが好適である。すなわち、接触部３４は、吸着面３３の外周に沿ってリング状に突出して設けられても良い。図１１〜１３は、吸着面３３の外周に沿ってリング状に接触部３４が設けられている状態を示している。
【０１６０】
もちろん、吸着面３３の外周に添っていなくても良く、接触部３４が吸着面３３の内部において設けられても良い。接触部３４は、リング状でなく、途中に切れた部分を有する形状を有してもよい。
【０１６１】
接触部３４は、吸着面３３と搬送対象物５０との間の距離を形成して、空隙３７を作り出すものであるので、接触部３４は、搬送対象物５０と接触する。また、搬送対象物５０は、接触部３４および接触部３４によって形成される空隙３７に対して、変形した部分を接触させる。このため、接触部３４は、変形した袋を傷つけにくいように、弾性力や変形力のある素材であることが好ましい。接触部３４は、ゴムやスポンジ素材を有していることが好ましい。一例として、接触部３４は、例えば略円形の吸着面３３に対応するＯリングのような部材であることも好適である。
【０１６２】
接触部３４は、吸着面３３の一部と重複するように重なる。言い換えれば、接触部３４は、吸着面３３の一部を隠すように設けられる。重複領域３６は、図１２に示されるようなものである。この場合には、吸着面３３の外周に沿って、重複領域３６が形成される。もちろん、重複領域３６のさらに外側にまで吸着面３３が広がっていても良い（この場合には、吸着面３３の外周端部ではなく、吸着面３３の内部に接触部３４が設けられる）。
【０１６３】
また、接触部３４が、図１２に示されるように吸着面３３の外周に沿って形成される場合には、吸着面３３と重なる場合には、接触部３４は、吸引圧力の付与方向においてこの重複領域３６と重なる。
【０１６４】
接触部３４は、リング状や切れ目のあるリング状などを有することが多いので、接触部３４は、吸着面３３と連通する開口部４１を有する（図１１、図１２に開口部４１が示される）。すなわち、吸引圧力方向にそって、吸着面３３と開口部４１が空気の吸引を行える。一方、重複領域３６においては、吸着面３３と外部が連通していない。開口部４１が存在することで、接触部３４が設けられても、開口部４１を通じて、吸着面３３に付与される吸引圧力が搬送対象物５０に到達する。言い換えると、開口部４１は、変形する搬送対象物５０を取り込んで、搬送対象物５０の表面を吸着面３３に接触させる。
【０１６５】
すなわち、開口部４１から入り込んだ搬送対象物５０の表面の一部は、吸着面３３に接触する。接触する表面は、吸引圧力を受ける。一方、開口部４１に入り込んだ搬送対象物５０の変形した一部は、空隙３７に収容される。更に、搬送対象物５０の開口部４１からはみ出ている部分は、接触部３４に接触する。
【０１６６】
（接触部の変形例）
接触部３４は、開口部４１を通じて、搬送対象物５０と吸着面３３とを連通させる。このため、開口部４１の大きさによって搬送対象物５０と吸着面３３との連通面積が決定される。搬送対象物５０が大きい場合にはこの連通面積が大きいほうがよく、搬送対象物５０が小さい場合にはこの連通面積が小さいほうよい。この連通面積は、開口部４１の面積によって決定されるので、開口部４１の面積は、搬送対象物５０の大きさによって変更されることが好ましい。
【０１６７】
このため、開口部４１は、その面積を可変であることが好ましい。例えば、開口部４１は、その開口面積を可変にできる絞りのような部材を有している。この絞りによって、接触部３４は、開口部４１の開口面積を変更できる。
【０１６８】
あるいは、接触部３４は、開口部４１の開口形状を変更できることも可能である。例えば、搬送対象物５０の形状によっては、開口部４１が方形や角形であることが好ましい場合もある。接触部３４は、開口部４１の開口形状を、絞り部材などによって変更可能としてもよい。
【０１６９】
（空隙）
接触部３４は、その裏側であって吸着面３３との間に空隙３７を形成する。空隙３７は、重複領域６の一部において、吸引圧力の付与方向と略垂直方向に凹状に凹んだ部分である。このため、接触部３４がリング状であれば、空隙３７もリング状になる。もちろん、接触部３４がリング状であっても、この接触部３４の裏面の一部が充填されており、空隙３７がリング状とはならないこともありえる。
【０１７０】
このように、接触部３４は、自身の形状に沿った凹部を、吸着面３３と接触部３４との間に形成する。この凹部が空隙３７である。例えば、接触部３４が吸着面３３と所定の距離を置いて設けられる場合には、この距離に対応する部分が、空隙３７となる。
【０１７１】
空隙３７は、搬送対象物５０の変形部分を収容する。搬送対象物５０は、袋物などの変形可能な物品である。吸着面３３によって吸着される際に、接触部３４の構造によって搬送対象物５０は、変形する。このとき、搬送対象物５０の吸引圧力付与方向と略垂直方向に、空隙３７が存在する。一方、空隙３７の前方には、接触部３４が、吸引圧力方向と略垂直方向に突出している。この結果、空隙３７は、吸引圧力方向と略垂直方向にポケットを形成する。このため、搬送対象物５０の変形部分は、このポケットに逃げるようにして収容される。
【０１７２】
このように、空隙３７が、搬送対象物５０の変形部分を収容することで、吸着具３は、上述の通り吸着面３３、空隙３７および接触部３４によって立体的に、搬送対象物５０を吸着する。また、空隙３７に搬送対象物５０の変形部分が収容されることで、この変形部分と接触部３４とが嵌合するようになって、搬送対象物５０が外れにくくなる。加えて、搬送対象物５０の袋に生じるしわが、この空隙３７で解消されて吸着面３３まで連通しにくくなる。この結果、吸着面３３と、吸着面３３に接触している搬送対象物５０の表面との間に空気の逃げ道が生じにくくなり、吸着力が弱まることが無くなる。この結果、更に吸着力が高まる。
【０１７３】
また、空隙３７が、吸引圧力方向と略垂直方向に搬送対象物５０の変形部分を収容することで、吸着具３は、搬送対象物５０に対する略垂直方向での吸着力を高めることもできる。この結果、吸着具３が搬送対象物５０を吸着した状態で横方向などに移動させる場合でも、吸着具３は、搬送対象物５０を落下させにくくなる。
【０１７４】
（空隙の変形例）
空隙３７は、搬送対象物５０の変形部分を収容する。この収容によって、吸着具３は、搬送対象物５０に対する吸着力を向上させる。このため、搬送対象物５０の大きさや特性によって、空隙３７が収容する搬送対象物５０の変形部分の体積が異なることが好ましい。例えば、搬送対象物５０が大きかったり重かったりする場合には、空隙３７が収容する変形部分の体積は大きいほうが好ましい。一方、搬送対象物５０が小さかったり軽かったりする場合には、空隙３７が収容する変形部分の体積は小さいほうが好ましい。
【０１７５】
収容される変形部分の体積は、空隙３７の体積によって決定される。このため、吸着具３が様々な搬送対象物５０を、効率的に吸着できるように、空隙３７は、その体積を可変であることも好適である。例えば、接触部３４は、形状を可変とする充填部材を有しており、この充填部材が空隙３７の体積を変更させても良い。もちろん、充填部材は、空隙３７の体積だけでなく、その形状を変更させても良い。形状が変更されることでも、搬送対象物５０の様々な特性に対応して、吸着力を向上させることが可能となるからである。
【０１７６】
このように、接触部３４の開口部４１と同様に、空隙３７も、その形状や大きさを変更可能であることは、吸着具３のバリエーションを広げるのに好適である。結果として、吸着具３は、様々な形状や特性の搬送対象物５０を、確実に吸着できる。
【０１７７】
以上、実施の形態３で説明した吸着具３を、ピッキング装置１が備えることで、ピッキング装置１は、より正確かつ高速に搬送対象物５０をピッキングして搬送できる。
【０１７８】
実施の形態１〜３で説明されたピッキング装置を、発明者が試作して実験を行ったところ、菓子パンなどの入った袋物の搬送対象物を、３０００個／時〜４０００個／時で、ピッキングして搬送できた。これは、人力を用いてやっていた場合の数倍以上のスピードであり、非常に高速化できている。もちろん、人力に比べて、作業ペースが変動することも少ないので、搬送に係る作業の前後も含めた製造工程での作業効率が向上する。
【０１７９】
なお、実施の形態１〜３で説明されたピッキング装置は、本発明の趣旨を説明する一例であり、本発明の趣旨を逸脱しない範囲での変形や改造を含む。
【符号の説明】
【０１８０】
１    ピッキング装置
２    吸引管路
３    吸着具
４    第１支持部材
４１    接触面
５    第２支持部材
５１    接触面
６    構造部材
３３    吸着面
３４    接触部
３７    空隙
４１    開口部
１００    製造ライン
１０２、１０３    箱
２００    制御ロボット
２１０    筐体
【図１】
0005940384.tif 000002
【図２】
0005940384.tif 000003
【図３】
0005940384.tif 000004
【図４】
0005940384.tif 000005
【図５】
0005940384.tif 000006
【図６】
0005940384.tif 000007
【図７】
0005940384.tif 000008
【図８】
0005940384.tif 000009
【図９】
0005940384.tif 000010
【図１０】
0005940384.tif 000011
【図１１】
0005940384.tif 000012
【図１２】
0005940384.tif 000013
【図１３】
0005940384.tif 000014
【図１４】
0005940384.tif 000015
【図１５】
0005940384.tif 000016